(57)【要約】      （修正有）【課題】建造物の屋上に形成された点検口を開閉自在に閉塞し、強風や突風が吹いても吹き飛ばされたり、変形したりすることがなく、雨水の侵入も確実に防止することができる屋上点検口用蓋、及び屋上点検ハッチを提供する。【解決手段】屋上点検口用蓋３ａは、蓋本体３１、及び閉塞板３２から構成され、蓋本体３１の略中央には所定の大きさの開口部が形成されている。閉塞板３２は、平面視で蓋本体３１に形成された開口部の全体を被覆できる程度の大きさの方形状であって、蓋本体３１の鉛直上方に所定の距離だけ離間した位置に配置され、閉塞板３２は、蓋本体３１に所定の間隔で設置された支持片３２２により支持されている。開口部から導風された空気は、蓋本体３１と閉塞板３２により形成された隙間Ｃ１から水平方向に向かって外部に放出されるため、蓋本体３１に作用する風圧を抑制することができる。【選択図】図３
2020117906.tif 000002
【特許請求の範囲】
【請求項１】
所定の位置に開口部が形成された蓋本体と、
平面視で前記開口部を被覆し、前記開口部の軸方向において前記蓋本体から離間した位置に配置された閉塞板と、
一端が前記蓋本体、他端が前記閉塞板に固設され、前記開口部の周辺に所定の間隔で配置された支持片と、を備える
屋上点検口用蓋。
【請求項２】
前記蓋本体の開口部の周縁には、前記蓋本体の一の面部から、該蓋本体の一の面部と対峙する前記閉塞板の他の面部に向かって立ち上がり、前記閉塞板の他の面部との間に所定の隙間を形成するように連設された周壁フランジ部を有し、
該周壁フランジ部に先端が当接される垂下位置と、前記閉塞板の他の面部に対して略平行な倒伏位置のそれぞれに起伏可能であって、常態において垂下位置となるように付勢される付勢手段を含む基端軸を介して前記閉塞板の他の面部に設置される可動片を有する
請求項１に記載の屋上点検口用蓋。
【請求項３】
前記支持片の一端は、前記閉塞板を前記蓋本体側に付勢する付勢手段を介して固設された
請求項１または請求項２に記載の屋上点検口用蓋。
【請求項４】
前記閉塞板の他の面部の所定の位置には、前記蓋本体の開口部に向かって断面略テーパー状の導風板を有する
請求項１から請求項３の何れか一項に記載の屋上点検口用蓋。
【請求項５】
前記閉塞板は、透明なアクリル板から構成される
請求項１から請求項４の何れか一項に記載の屋上点検口用蓋。
【請求項６】
所定の位置に開口部が形成された蓋本体と、
前記開口部を閉塞する閉位置から開位置まで揺動自在となるように、基端部が前記蓋本体に軸支された閉塞板と、
前記閉塞板の揺動範囲を所定の角度となるまで規制するストッパ部と、を備える
屋上点検口用蓋。
【請求項７】
建築物の屋根面側の点検口の周囲に設置された受枠と、
所定の位置に開口部が形成され、基端部が前記受枠に軸支された蓋本体と、
平面視で前記開口部を被覆し、前記開口部の軸方向において前記蓋本体から離間した位置に配置された閉塞板と、
一端が前記蓋本体、他端が前記閉塞板に固設され、前記開口部の周辺に所定の間隔で配置された支持片と、を備える
屋上点検ハッチ。
【発明の詳細な説明】
【技術分野】
【０００１】
本発明は、屋上点検口用蓋、及び屋上点検ハッチに関する。詳しくは、建造物の屋上に形成された点検口を開閉自在に閉塞し、強風や突風が吹いても吹き飛ばされたり、変形したりすることがなく、雨水の侵入も確実に防止することができる屋上点検口用蓋、及び屋上点検ハッチに係るものである。
【背景技術】
【０００２】
マンションなどの集合住宅等のように高層階からなる建造物の屋上には、空調機器や給水塔等の種々の機器が設置される場合がある。これらの機器を日常的に点検するため、建造物の最上階の共用廊下の天井部には、共用廊下から屋上に出入りするために使用される屋上点検口が形成されている。
【０００３】
この屋上点検口は、共用廊下の天井部とマンションの屋上に開口するものであるため、マンションの屋上から共用廊下に雨水が落下することを防止し、また、建造物の屋上にみだりに人が立ち入ることを防止する必要がある。そこで、特許文献１に開示されるように、屋上点検口の屋上側の開口部には、開口部の周囲に枠体を設け、この枠体に対して屋上側に向けて回動可能なように基端部が軸支された屋上点検口用蓋を備える屋上点検ハッチが取り付けられている。この屋上点検口用蓋により、雨水の浸入を防止することができるとともに、不使用時には施錠可能なものとなっているため、みだりに人の出入りができないようになっている。
【０００４】
このような屋上点検口用蓋は、一般的に雨風に曝されることから、その耐久性等を考慮すると金属により製造することが好ましい。一方、屋上点検口用蓋が設置されるマンションの屋上は高所であることから落雷を受けやすいため、避雷針や棟上げ導体などが設置されることがある。この場合において、上述したように金属からなる屋上点検口用蓋を配置していると、避雷針等が落雷を受ける際などに、その電気エネルギーの一部が屋上点検口用蓋に伝わってしまう可能性があり、これによって屋上点検口用蓋が損傷してしまうおそれがある。
【０００５】
そこで、例えば特許文献２には、落雷の影響による損傷を防止することができる屋上点検口用蓋が提案されている。具体的には、屋上点検口に沿って固定される金属枠体にヒンジ部を介して屋上点検口用蓋を回動自在に連結し、この屋上点検口用蓋の所定の位置には、屋上に敷設されるアース線を着脱自在に接続することが可能となっている。これにより、屋上点検口用蓋が落雷を受けたとしても、その電気エネルギーを外部に逃がすことができるため屋上点検口用蓋の落雷による損傷を回避することができるものとなっている。
【先行技術文献】
【特許文献】
【０００６】
【特許文献１】実用新案登録第３１５２４６７号公報
【特許文献２】特開２０１２―２５１３５７号公報
【発明の概要】
【発明が解決しようとする課題】
【０００７】
ところで、近年における異常気象により、台風や突風、さらには竜巻等の発生頻度が増え、その勢力も巨大化する傾向となっており、屋上点検口用蓋についてもこれら異常気象に対応する強固な構造のものが求められている。即ち、屋上点検口用蓋は前記したようにマンションの共用廊下等に設置されるが、前記した特許文献１、及び特許文献２に開示の屋上点検口用蓋においては、共用廊下から入り込んだ風が直接、屋上点検口用蓋の共用廊下側の面に作用することになる。
【０００８】
そして屋上点検口用蓋に、瞬間的に強い風圧が連続して作用すると、屋上点検口用蓋はその風圧に耐えきれずに変形や損傷し、最悪の場合には飛散してしまい、周囲の建造物や歩行者、通行車に衝突して大きな被害を与えることが懸念される。
【０００９】
また、屋上点検口は、作業者が種々の工具や器具を持って出入りできるように、できるだけ間口の広い開口部であることが望まれるが、大きな開口部を有する屋上点検口に設置される屋上点検口用蓋も、必然的にそのサイズは大型になる傾向がある。さらに前記した通り、屋上点検口用蓋は金属等の耐久性の高い材料が使用されたものであり、その重量も大きいため、風圧により飛散した場合の周囲への被害も多大なものとなることが考えられる。
【００１０】
本発明は、以上の点に鑑みて創案されたものであって、建造物の屋上に形成された点検口を開閉自在に閉塞し、強風や突風が吹いても吹き飛ばされたり、変形したりすることがなく、雨水の侵入も確実に防止することができる屋上点検口用蓋、及び屋上点検ハッチを提供することを目的とするものである。
【課題を解決するための手段】
【００１１】
前記の目的を達成するために、本発明に係る屋上点検口用蓋は、所定の位置に開口部が形成された蓋本体と、平面視で前記開口部を被覆し、前記開口部の軸方向において前記蓋本体から離間した位置に配置された閉塞板と、一端が前記蓋本体、他端が前記閉塞板に固設され、前記開口部の周辺に所定の間隔で配置された支持片とを備える。
【００１２】
ここで、所定の位置に開口部が形成された蓋本体を備えることにより、蓋本体に風圧が作用しても、開口部が空気導通孔として機能するため、蓋本体に作用する風圧を弱め、蓋本体の変形や飛散を防止することができる。
【００１３】
また、平面視で開口部を被覆し、開口部の軸方向において蓋本体から離間した位置に配置された閉塞板を備えることにより、蓋本体に形成された開口部は、平面視にて閉塞板により被覆されているため、開口部から雨風が侵入することを防止することができる。
【００１４】
さらに、閉塞板は蓋本体の開口部の軸方向に離間した位置に配置されているため、閉塞板と蓋本体の間には所定のクリアランス（隙間）が形成され、開口部から導通された空気は、この隙間を通じて外部に放出することができる。
【００１５】
また、一端が蓋本体、他端が閉塞板に固設された支持片を備えることにより、閉塞板と蓋本体は、所定の隙間を保った状態で支持片により固定することができる。
【００１６】
さらに、支持片は、蓋本体に形成された開口部の周方向に所定の間隔で配置されていることから、隣接する支持片間には隙間が形成される。そのため、開口部からこの隙間を通じて空気導通孔が形成されるため、蓋本体に作用する風圧は、開口部から隙間を通じて外部に開放することができる。
【００１７】
また、蓋本体の開口部の周縁には、蓋本体の一の面部から、蓋本体の一の面部と対峙する閉塞板の他の面部に向かって立ち上がり、閉塞板の他の面部との間に所定の隙間を形成するように連設された周壁フランジ部を有する場合には、蓋本体と閉塞板の間に形成された隙間からの雨風の侵入を防止することができる。
【００１８】
また、周壁フランジ部に先端が当接される垂下位置と、閉塞板の他の面部に対して略平行な倒伏位置のそれぞれに起伏可能であって、常態において垂下位置となるように付勢される付勢手段を含む基端軸を介して閉塞板の他の面部に設置される可動片を有する場合には、常態においては、開口部は周壁フランジ部と可動片により閉塞された状態となるため、開口部から雨風が侵入することを防止することができる。
【００１９】
一方、蓋本体の他の面部に風圧が作用した場合には、風圧により可動片が稼働して閉塞板の他の面部と略平行な倒伏位置となる。このとき、開口部から外部に通じる空気導通孔が形成されることにより、蓋本体に作用する風圧を弱め、蓋本体の変形や飛散を防止することができる。
【００２０】
また、支持片の一端が、閉塞板を蓋本体側に付勢する付勢手段を介して固設されている場合には、常態においては、閉塞板は蓋本体側に付勢されるように支持されるため、閉塞板と蓋本体のクリアランスが短くなり、開口部から雨風が侵入することを防止することができる。
【００２１】
一方、蓋本体の他の面部に風圧が作用した場合には、付勢手段の付勢力に抗する方向に風圧が作用し、閉塞板は蓋本体から離間する方向に移動するため、閉塞板と蓋本体の離間距離が拡大する。このとき、開口部から外部に通じる空気導通孔の総面積を拡大することができるため、蓋本体に作用する風圧を弱め、蓋本体の変形や飛散を防止することができる。
【００２２】
また、閉塞板の他の面部の所定の位置には、蓋本体の開口部に向かって略テーパー状の導風板を有する場合には、蓋本体の他の面部に風圧が作用した際に、開口部からの空気流は、導風板の形状に沿って閉塞板と蓋本体により形成された隙間方向に向けて導風される。従って、蓋本体に作用する風圧を効率的に外部に開放することができる。
【００２３】
また、閉塞板が透明なアクリル板から構成されている場合には、閉塞板から開口部を通じて採光することができるため、例えば本発明に係る屋上点検口用蓋が設置される集合住宅等の通路の明り取りとしての機能を奏することができる。
【００２４】
前記の目的を達成するために、本発明に係る屋上点検口用蓋は、所定の位置に開口部が形成された蓋本体と、前記開口部を閉塞する閉位置から開位置まで揺動自在となるように、基端部が前記蓋本体に軸支された閉塞板と、前記閉塞板の揺動範囲を所定の角度となるまで規制するストッパ部とを備える。
【００２５】
ここで、所定の位置に開口部が形成された蓋本体を備えることにより、蓋本体に風圧が作用しても、開口部が空気導通孔として機能するため、蓋本体に作用する風圧を弱め、蓋本体の変形や飛散を防止することができる。
【００２６】
また、開口部を閉塞する閉位置から開位置まで揺動自在となるように、基端部が蓋本体に軸支された閉塞板を備えることにより、蓋本体に形成された開口部が、閉塞板により閉塞されている場合には、開口部から雨風が侵入することを防止することができる。一方、閉塞板が揺動し、閉塞板と蓋本体との間に隙間が形成された場合には、開口部から導通された空気は、この隙間を通じて外部に放出することができる。
【００２７】
また、閉塞板の揺動範囲を所定の角度となるまで規制するストッパ部を備えることにより、開閉蓋の開方向への揺動範囲はストッパ部により規制されるため、必要以上に閉塞板が開くことを防止することができる。
【００２８】
前記の目的を達成するために、本発明に係る屋上点検ハッチは、建築物の屋根面側の点検口の周囲に設置された受枠と、所定の位置に開口部が形成され、基端部が前記受枠に軸支された蓋本体と、平面視で前記開口部を被覆し、前記開口部の軸方向において前記蓋本体から離間した位置に配置された閉塞板と、一端が前記蓋本体、他端が前記閉塞板に固設され、前記開口部の周辺に所定の間隔で配置された支持片とを備える。
【００２９】
ここで、建築物の屋根面側の点検口の周囲に設置された受枠を備えることにより、この受枠に屋上点検口を閉塞可能な蓋本体を設置した場合に、屋上点検口を密閉状態とすることができるため、屋上点検口から雨風等が侵入することを防止することができる。
【００３０】
また、所定の位置に開口部が形成された蓋本体を備えることにより、蓋本体に風圧が作用しても、開口部が空気導通孔として機能するため、蓋本体に作用する風圧を弱め、蓋本体の変形や飛散を防止することができる。
【００３１】
また、平面視で開口部を被覆し、開口部の軸方向において蓋本体から離間した位置に配置された閉塞板を備えることにより、蓋本体に形成された開口部は、平面視にて閉塞板により被覆されているため、開口部から雨風が侵入することを防止することができる。
【００３２】
さらに、閉塞板は蓋本体の開口部の軸方向に離間した位置に配置されているため、閉塞板と蓋本体の間には所定のクリアランスが形成され、開口部から導通された空気は、このクリアランスを通じて外部に放出することができる。
【００３３】
また、一端が蓋本体の一の面部、他端が蓋本体の一の面部と対峙する閉塞板の他の面部に固設され支持片を備えることにより、閉塞板と蓋本体は、所定のクリアランスを保った状態で、支持片により固定することができる。
【００３４】
さらに、支持片は、蓋本体に形成された開口部の周辺に所定の間隔で配置されていることから、隣接する支持片間には隙間が形成される。そのため、開口部からこの隙間を通じて空気導通孔が形成されるため、蓋本体に作用する風圧は、開口部から隙間を通じて外部に開放することができる。
【発明の効果】
【００３５】
本発明に係る屋上点検口用蓋、及び屋上点検ハッチは、建造物の屋上に形成された点検口を開閉自在に閉塞し、強風や突風が吹いても吹き飛ばされたり、変形したりすることがなく、雨水の侵入も確実に防止することができる
【図面の簡単な説明】
【００３６】
【図１】本発明を適用した第１の実施形態に係る屋上点検ハッチにおいて、屋上点検口用蓋を開いた状態を示す斜視図である。
【図２】本発明を適用した第１の実施形態に係る屋上点検ハッチにおいて、屋上点検口用蓋を閉めた状態を示す斜視図である。
【図３】本発明を適用した第１の実施形態に係る屋上点検口用蓋の要部断面図を示す図である。
【図４】本発明を適用した第２の実施形態に係る屋上点検口用蓋の要部断面図を示す図である。
【図５】本発明を適用した第３の実施形態に係る屋上点検口用蓋の要部断面図を示す図である。
【図６】本発明を適用した第４の実施形態に係る屋上点検口用蓋の要部断面図を示す図である。
【図７】本発明を適用した第５の実施形態に係る屋上点検口用蓋の要部断面図を示す図である。
【発明を実施するための形態】
【００３７】
以下、本発明の実施の形態について、図面を参酌しながら説明し、本発明の理解に供する。なお、各図において説明の便宜上、屋上点検ハッチ１を設置面Ｓである集合住宅等の屋上に設置した状態において、屋上点検ハッチ１の設置面Ｓから上方に向かう方向を上方向、上方向の反対方向を下方向、上方向および下方向により表される軸方向を鉛直方向、鉛直方向と垂直な軸方向を水平方向とそれぞれ定義する。
【００３８】
＜実施例１＞
まず、第１の実施形態に係る屋上点検口用蓋３ａを備える屋上点検ハッチ１の全体構成について、図１乃至図３を用いて説明する。屋上点検ハッチ１は、例えば集合住宅等の最上階の共用廊下の天井部に設けられており、共用廊下から屋上に出入りするために使用されるものである。屋上点検ハッチ１は、主に点検口Ａの周囲に設置された受枠２と該受枠２に対して開閉自在なように基端部が軸支された屋上点検口用蓋３ａから構成されている。
【００３９】
受枠２は、略方形に形成された点検口Ａの周囲に配置されるものであって、点検口Ａを囲む周壁フランジ部２１、周壁フランジ部２１の下周縁に連続し、外方向へ向けて下降傾斜する傾斜フランジ部２２、傾斜フランジ部２２の外周縁に連続する垂直フランジ部２３が金属材の板金加工により一体成型されている。
【００４０】
ここで、必ずしも、点検口Ａは略方形に形成されている必要はない。例えば、円形、台形等、その形状が限定されるものではなく、点検口Ａの形状に応じて、その周縁に設置される周壁フランジ部２１の形状も適宜変更することができる。
【００４１】
また、必ずしも、受枠２は周壁フランジ部２１、傾斜フランジ部２２、及び垂直フランジ部２３から構成されている必要はない。後述する蓋本体３１が開閉自在に軸支可能であって、屋上点検口用蓋３ａを閉めた状態において雨風等の侵入を防ぐ閉塞状態とすることができればよく、例えば周壁フランジ部２１のみから構成されていてもよい。
【００４２】
次に屋上点検口用蓋３ａの詳細な構造について説明する。屋上点検口用蓋３ａは、蓋本体３１、及び閉塞板３２から構成されている。蓋本体３１は、受枠２の周壁フランジ部２１の形状に合わせた略方形状であって金属材の板金加工により構成され、蓋本体３１の外周を一周するように垂直下方に折り曲げられた垂直フランジ部３１１を有している。
【００４３】
蓋本体３１の基端部は、ヒンジ（符号を付さない）を介して揺動自在に受枠２に軸支されるとともに、容易かつ安全な開閉操作を行うために受枠２と蓋本体３１の所定の位置はガスクッション式の一対のステー３１２により接続されている。
【００４４】
ここで、必ずしも、蓋本体３１の外周には垂直フランジ部３１１を有している必要はない。但し、垂直フランジ部３１１を有していることにより、蓋本体３１を受枠２に対して閉塞状態とした場合に、点検口Ａの密閉性が高まるため、雨風等が点検口Ａから侵入することを確実に防止することができる。
【００４５】
また、必ずしも、蓋本体３１と受枠２はガスクッション式のステー３１２により接続されている必要はない。例えば開閉機構として、レールを介したスライド式、又はリンク機構等、特にその開閉機構が限定されるものではない。
【００４６】
蓋本体３１の略中央部には、蓋本体３１の表面積の略５分の１程度の方形状の開口部Ｏが形成されている。係る開口部Оは、後述する通り、屋上点検ハッチ１が設置されている状態において、共用廊下側からの吹き込み風により、蓋本体３１が共用廊下側から屋上に向かう風圧を受けた場合の空気導通孔として機能するものである。
【００４７】
ここで、必ずしも、開口部Оは方形状である必要はなく、開口部Оの形状は特に限定されるものではない。また、開口部Оの大きさも蓋本体３１の表面積の略５分の１程度の大きさである必要はなく、蓋本体３１の設置環境における風速等を考慮して適宜変更することができる。
【００４８】
閉塞板３２は、平面視で蓋本体３１に形成された開口部Оの全体を被覆できる程度の大きさの方形状であって、蓋本体３１の鉛直上方に所定の距離だけ離間した位置に配置され、金属材の板金加工により構成されている。閉塞板３２の外周はやや下方に傾斜するように折り曲げ加工された傾斜フランジ部３２１を有している。
【００４９】
ここで、必ずしも、閉塞板３２は方形状である必要はない。蓋本体３１に形成された開口部Оを平面視にて被覆できる程度の大きさであれば、特にその形状が限定されるものではない。
【００５０】
また、必ずしも、閉塞板３２の外周には下方に傾斜する傾斜フランジ部３２１を有している必要はない。係る傾斜フランジ部３２１は、垂直方向に折り曲がる形状であってもよく、また、折り曲げ加工されている必要もない。但し、閉塞板３２の外周が折り曲げ加工されていることにより、蓋本体３１と閉塞板３２の間に形成された隙間から雨風等が侵入することを防止することができる。
【００５１】
また、必ずしも、閉塞板３２は金属材により構成されている必要はない。例えば透光性を有するアクリル樹脂材により構成されていてもよい。なお、閉塞板３２が透光性を有するアクリル樹脂材から構成されている場合には、閉塞板３２から日光を採光することができるため、集合住宅等の共用廊下部の明り取りとしても機能させることができる。
【００５２】
支持片３２２は閉塞板３２を蓋本体３１に対して支持する部材である。即ち、支持片３２２の一端は蓋本体３１の屋上側の面（一の面）に固設され、支持片３２２の他端は蓋本体３１の一の面と対峙する閉塞板３２の他の面に固設されている。
【００５３】
支持片３２２は、図３に示すように、隣接する支持片３２２間に所定の間隔を空けて均等に開口部Оの周囲に配置されている。即ち、隣接する支持片３２２間には、所定の隙間Ｃ１が形成されることになるため、例えば蓋本体３１が共用廊下側から屋上に向かう風圧を受けた場合には、開口部Оから導風された空気は、隙間Ｃ１から水平方向に向かって外部に放出されるため、蓋本体３１に作用する風圧を抑制することができる。そのため、蓋本体３１に対して大きな風圧が作用したとしても、蓋本体３１が変形したり、或いは風圧に耐え切れずに飛散したりすることを防止することができる。
【００５４】
ここで、必ずしも、支持片３２２は、開口部Ｏの周囲に均等に配置されている必要はない。隣接する支持片３２２間には、所定の隙間Ｃ１が形成されるように配置されていればよい。
【００５５】
また、隣接する支持片３２２間に形成された隙間Ｃ１には、例えば網目状のメッシュ部材を介挿入するようにしてもよい。このように、メッシュ部材を介挿することにより、隙間Ｃから異物が侵入することを防止することができる。
【００５６】
＜実施例２＞
次に、第２の実施形態に係る屋上点検口用蓋３ｂについて図４を用いて説明する。なお、第１の実施形態と重複する部分については同一符号を付すとともに、重複する説明については省略する。
【００５７】
第２の実施例に係る屋上点検口用蓋３ｂの開口部Ｏの周縁には鉛直上方向に立設した周壁フランジ部３１３を有している。周壁フランジ部３１３の上端と閉塞板３２には所定の距離だけ離間して隙間Ｃ２が形成されており、該隙間Ｃ２を開閉自在とするように、閉塞板３２には可動片３２３が設置されている。この可動片３２３は、基端部が付勢手段としての板バネ（図示しない）等により揺動自在に取り付けられている。
【００５８】
可動片３２３は、鉛直下方に向かって垂下した位置となるように付勢手段により常時付勢されている。即ち、可動片３２３は、常態において周壁フランジ部３１３に先端が当接される垂下位置となるため、周壁フランジ部３１３と可動片３２３により、開口部Оは水平方向に閉塞された状態であるため、雨風等が侵入することを防止することができる。
【００５９】
一方、蓋本体３１が共用廊下側から屋上に向かう風圧を受けた場合には、風圧が可動片３２３にも作用することになる。このとき、可動片３２３の付勢方向とは反対方向に強い風圧が作用すると、可動片３２３は付勢力に抗して、閉塞板３２側に倒れる倒伏位置となり、可動片３２３と周壁フランジ部３１３との間には所定の隙間Ｃ２が形成される。これにより、蓋本体３１に作用する風圧を水平方向に逃がすことができるため、蓋本体３１に対して大きな風圧が作用したとしても、蓋本体３１が変形したり、或いは風圧に耐え切れずに飛散したりすることを防止することができる。
【００６０】
ここで、必ずしも、可動片３２３は、周壁フランジ部３１３に沿って連続的に設置されている必要はない。可動片３２３は、所定の隙間を形成するように、間隔を空けて設置されていてもよい。但し、可動片３２３が連続的に設置されている場合には、蓋本体３１に風圧が作用しない常態においては、外部から雨風等が侵入することを防止することができる。
【００６１】
＜実施例３＞
次に、第３の実施形態に係る屋上点検口用蓋３ｃについて図５を用いて説明する。なお、他の実施形態と重複する部分については同一符号を付すとともに、重複する説明については省略する。
【００６２】
第３の実施例に係る屋上点検口用蓋３ｃは、支持片３２２の蓋本体３１の固設部分に、例えば付勢手段としてのコイルバネ３２４を介して固設されている。即ち、閉塞板３２は、常態においてはコイルバネ３２４により蓋本体３１側に付勢されており、閉塞板３２と蓋本体３１の開口部Оの周縁に設置された周壁フランジ部３１３が当接された状態となっている。そのため、蓋本体３１に風圧が作用しない場合には、開口部Оは閉塞板３２により完全に閉塞された状態となっているため、外部から雨風等が侵入することを防止することができる。
【００６３】
一方、蓋本体３１が共用廊下側から屋上に向かう風圧を受けた場合には、風圧が開口部Оを通じて閉塞板３２にも作用することになる。このとき、閉塞板３２の付勢方向とは反対方向である鉛直上方向に強い風圧が作用し、閉塞板３２はコイルバネ３２４の付勢力に抗して、鉛直上方向に向かって押し上げられる。このとき、閉塞板３２と周壁フランジ部３１３との間には所定の隙間Ｃ１が形成される。これにより、蓋本体３１に作用する風圧を水平方向に逃がすことができるため、蓋本体３１に対して大きな風圧が作用したとしても、蓋本体３１が変形したり、或いは風圧に耐え切れずに飛散したりすることを防止することができる。
【００６４】
ここで、必ずしも、支持片３２２は、付勢手段としてコイルバネ３２４を介して固設されている必要はない。鉛直方向に上下動が可能なダンパ機能を有する部材であれば、特にその構造が限定されるものではない。
【００６５】
＜実施例４＞
次に、第４の実施形態に係る屋上点検口用蓋３ｄについて図６を用いて説明する。なお、他の実施形態と重複する部分については同一符号を付すとともに、重複する説明については省略する。
【００６６】
第４の実施例に係る屋上点検口用蓋３ｄは、閉塞板３２が蓋本体３１に対して揺動自在となるように基端部がヒンジ３２５を介して軸支され、支持片３２２は蓋本体３１に対してのみ固設されている。
【００６７】
また、閉塞板３２の基端部と対峙する側には、平面視において略コの字状の係合片３２６が取り付けられており、該係合片３２６は蓋本体３１を開閉する際に把持される取手部３１４に係合されている。取手部３１４の鉛直方向上端は、折り曲げ形成されており、係合片３２６の鉛直方向への移動を規制するストッパ部として機能することが可能となっている。
【００６８】
ここで、必ずしも、閉塞板３２には係合片３２６を有している必要はない。閉塞板３２の揺動範囲を所定の角度に規制することができる構造のものであれば、特に限定されるものではない。
【００６９】
また、必ずしも、取手部３１４は、蓋本体３１を開閉する際に把持されるものである必要はない。例えば係合片３２６を係合させるストッパ部を取手部３１４とは別途に設けるようにしてもよい。
【００７０】
以上のような構成により、蓋本体３１に風圧が作用しない常態、或いは弱い風圧が作用した場合においては、蓋本体３１の開口部Оは閉塞板３２が支持片３２２に当接された状態となり隙間Ｃ１が形成される。
【００７１】
一方、蓋本体３１が共用廊下側から屋上に向かう強い風圧を受けた場合には、風圧が開口部Ｏを通じて閉塞板３２にも作用し、閉塞板３２は基端部を支点として鉛直上方向に揺動する。このとき、閉塞板３２は、係合片３２６が取手部３１４の上端に当接することにより鉛直上方向の揺動が規制され、隙間Ｃ１の範囲が拡大する。これにより、蓋本体３１に作用する風圧を水平方向に逃がすことができるため、蓋本体３１に対して大きな風圧が作用したとしても、蓋本体３１が変形したり、或いは風圧に耐え切れずに飛散したりすることを防止することができる。
【００７２】
＜実施例５＞
次に、第５の実施形態に係る屋上点検口用蓋３ｅについて図７を用いて説明する。なお、他の実施形態と重複する部分については同一符号を付すとともに、重複する説明については省略する。
【００７３】
第５の実施形態に係る屋上点検口用蓋３ｅは、閉塞板３２の蓋本体３１と対峙する側である他の面には、断面略テーパー状となる略三角錐形状の導風板３２７を有している。この導風板３２７により、開口部Ｏからの風圧は、より確実に外方に向けて導風することができる。
【００７４】
以上、本発明に係る屋上点検口用蓋、及び屋上点検ハッチは、建造物の屋上に形成された点検口を開閉自在に閉塞し、強風や突風が吹いても吹き飛ばされたり、変形したりすることがなく、雨水の侵入も確実に防止することができる。
【符号の説明】
【００７５】
１      屋上点検ハッチ
２      受枠
２１      周壁フランジ部
２２      傾斜フランジ部
２３      垂直フランジ部
３ａ、３ｂ、３ｃ、３ｄ、３ｅ      屋上点検口用蓋
３１      蓋本体
３１１      垂直フランジ部
３１２      ステー
３１３      周壁フランジ部
３１４      取手部
３２      閉塞板
３２１      傾斜フランジ部
３２２      支持片
３２３      可動片
３２４      コイルバネ
３２５      ヒンジ
３２６      係合片
３２７      導風板
Ａ      点検口
Ｃ１、Ｃ２      隙間
Ｏ      開口部
Ｓ      設置面
【図１】
2020117906.tif 000003
【図２】
2020117906.tif 000004
【図３】
2020117906.tif 000005
【図４】
2020117906.tif 000006
【図５】
2020117906.tif 000007
【図６】
2020117906.tif 000008
【図７】
2020117906.tif 000009